(57)【要約】【課題】投げ込み式のロール紙装填機構を採用可能なイメージスキャナ付きの複合処理装置を提供する。【解決手段】本発明の複合処理装置１は、スリップ紙経路２０とレシート紙経路２１を有する。スリップ紙経路２０には、印字ヘッド５と、プラテン６と、スキャナヘッド７と、スキャナローラ８とを有する。プラテン６とスキャナローラ８とがカバーユニット４０に一体的に組み込まれ、レシート紙経路２１から退避するように構成されている。【選択図】　図２
2004009715.tif 000002
【特許請求の範囲】
【請求項１】
装置本体の所定の用紙収容部に収容される用紙を搬送する搬送経路と、
前記搬送経路の側部近傍に設けられ、前記用紙に対して所定の印字を行う印字ヘッドと、
前記印字ヘッドに対し前記搬送経路を挟んで対向配置され、印字時に前記用紙を支持するための第１のプラテン部材と、
前記印字ヘッドに対し用紙搬送方向下流側に設けられ、前記用紙を読み取るためのスキャナヘッドと、
前記スキャナヘッドに対して前記搬送経路を挟んで対向配置され、読取時に前記前記用紙を前記スキャナヘッドに対して押圧するための第２のプラテン部材とを備え、
前記印字ヘッド、スキャナヘッド、第１及び第２のプラテン部材のうち前記搬送経路に対して前記用紙収容部側に位置する収容部側手段が、前記搬送経路から退避するように構成されていることを特徴とする複合処理装置。
【請求項２】
請求項１において、前記収容部側手段が、一体的なユニットに組み込まれていることを特徴とする複合処理装置。
【請求項３】
請求項１又は２のいずれかにおいて、前記収容部側手段が、前記第１及び第２のプラテン部材であることを特徴とする複合処理装置。
【請求項４】
請求項１乃至３のいずれかにおいて、前記用紙収容部が、所定のロール紙を保持するロール紙保持部であることを特徴とする複合処理装置。
【請求項５】
請求項１乃至４のいずれかにおいて、前記搬送経路は複数系統の搬送路を有し、前記搬送路が、前記印字ヘッドの印字位置において合流するように構成されていることを特徴とする複合処理装置。
【請求項６】
請求項５において、前記搬送路が、前記スキャナヘッドの読取位置において合流するように構成されていることを特徴とする複合処理装置。
【請求項７】
請求項１乃至６のいずれかにおいて、前記印字ヘッドの用紙搬送方向下流側の所定位置に、前記用紙を切断するためのカッタが設けられていることを特徴とする複合処理装置。
【請求項８】
請求項７において、前記カッタが、分離可能なカッタ部材を有し、前記カッタ部材の一部が請求項２記載のユニットに組み込まれていることを特徴とする複合処理装置。
【請求項９】
請求項２乃至８のいずれかにおいて、前記ユニットが、装置本体の蓋部を兼用していることを特徴とする複合処理装置。
【発明の詳細な説明】
【０００１】
【発明の属する技術分野】
本発明は、例えば小切手等に印字された文字等を読み取るスキャナ及びこれを用いた複合処理装置に関する。
【０００２】
【従来の技術】
近年、プリンタに、イメージスキャナ等の処理デバイスを追加して複合的な処理を装置として、例えば、印字ヘッド、イメージスキャナ及び磁気ヘッドを備えた小切手処理装置が提案されている。
【０００３】
このような小切手処理装置は、小切手への必要事項の印字処理、印字後の小切手の読取処理、必要に応じ決済機関への読取画像の送信処理を行い、取引内容を電子データとして交換することにより、小切手のオンライン決済がその場で可能になるので便利である。
【０００４】
従来、このような小切手処理装置として、小切手等のスリップ紙のみならず、ロール紙に対しても印字が可能な装置が提案されている。
【０００５】
【発明が解決しようとする課題】
ところで、この種の複合処理装置において印字した用紙をイメージスキャナで読み取る場合には、用紙をスキャナヘッドに押し付けて送るための例えばローラ等の押圧部材を設ける必要がある。
【０００６】
特に、イメージスキャナとしてＣＩＳ（Ｃｏｎｔａｃｔ　Ｉｍａｇｅ　Ｓｅｎｓｏｒ）からなるセンサを用いた場合は、焦点深度が浅いことから、ローラ等の押圧部材を用いて用紙をスキャナヘッドの正確な読取位置に押し付ける必要がある。
【０００７】
しかし、ロール紙に対しても印字が可能な装置に、このような押圧部材を有するイメージスキャナを設けた場合には、ロール紙をセットする際にその先端部をスキャナヘッドと押圧部材の間に挿入しなければならず、ロール紙を投入して蓋を閉じるだけでセットが完了する従来の投げ込み式のロール紙装填機構に比べて操作が複雑になってしまうという問題がある。
【０００８】
また、ロール紙に印字して得られたレシートの内容をイメージスキャナで読み込む場合には、ロール紙をカッタで切断した後に、改めてスリップ紙として再処理する必要があり、処理時間がかかってしまうという問題もある。
【０００９】
本発明は、このような従来の技術の課題を解決するためになされたもので、その目的は、投げ込み式のロール紙装填機構を採用可能なイメージスキャナ付きの複合処理装置を提供することにある。
【００１０】
また、本発明の他の目的は、レシートの印字及び読取処理を迅速に行うことが可能なイメージスキャナ付きの複合処理装置を提供することにある。
【００１１】
【課題を解決するための手段】
上記目的を達成するためになされた本発明は、装置本体の所定の用紙収容部に収容される用紙を搬送する搬送経路と、前記搬送経路の側部近傍に設けられ、前記用紙に対して所定の印字を行う印字ヘッドと、前記印字ヘッドに対し前記搬送経路を挟んで対向配置され、印字時に前記用紙を支持するための第１のプラテン部材と、前記印字ヘッドに対し用紙搬送方向下流側に設けられ、前記用紙を読み取るためのスキャナヘッドと、前記スキャナヘッドに対して前記搬送経路を挟んで対向配置され、読取時に前記前記用紙を前記スキャナヘッドに対して押圧するための第２のプラテン部材とを備え、前記印字ヘッド、スキャナヘッド、第１及び第２のプラテン部材のうち前記搬送経路に対して前記用紙収容部側に位置する収容部側手段が、前記搬送経路から退避するように構成されていることを特徴とする複合処理装置である。
【００１２】
本発明においては、前記収容部側手段が、一体的なユニットに組み込まれていることも効果的である。
【００１３】
また、前記収容部側手段が、前記第１及び第２のプラテン部材であることも効果的である。
【００１４】
さらに、前記用紙収容部が、所定のロール紙を保持するロール紙保持部であることも効果的である。
【００１５】
さらにまた、前記搬送経路は複数系統の搬送路を有し、前記搬送路が、前記印字ヘッドの印字位置において合流するように構成されていることも効果的である。
【００１６】
さらにまた、前記搬送路が、前記スキャナヘッドの読取位置において合流するように構成されていることも効果的である。
【００１７】
前記印字ヘッドの用紙搬送方向下流側の所定位置に、前記用紙を切断するためのカッタが設けられていることも効果的である。
【００１８】
前記カッタが、分離可能なカッタ部材を有し、前記カッタ部材の一部が前述のユニットに組み込まれていることも効果的である。
【００１９】
さらにまた、前記ユニットが、装置本体の蓋部を兼用していることも効果的である。
【００２０】
本発明の場合、印字ヘッド、スキャナヘッド、第１及び第２のプラテン部材のうち搬送経路に対して用紙収容部（例えばロール紙保持部）側に位置する収容部側手段が、搬送経路から退避するように構成されていることから、ロール紙等をセットする際にその先端部をスキャナヘッドと押圧部材の間に挿入する必要がなく、従来の投げ込み式のロール紙装填機構を採用して装置を構成することが可能になる。
【００２１】
また、本発明によれば、ロール紙に印字して得られたレシートの内容をイメージスキャナで読み込む場合に、改めてスリップ紙として再処理する必要がなくなるので、処理時間を大幅に短縮することが可能になる。
【００２２】
このような構成を有する本発明において収容部側手段が一体的なユニットに組み込まれている場合には、簡素な構成で収容部側手段を退避させることが可能になる。
【００２３】
また、収容部側手段が第１及び第２のプラテン部材である場合には、収容部の開閉に伴う、印字ヘッド、スキャナヘッドの配線の屈曲回数を減らすことができるため、印字ヘッド、スキャナヘッドの配線部の信頼性を向上させることが可能になる。
【００２４】
さらに、搬送経路が複数系統の搬送路を有し、これらの搬送路が、印字ヘッドの印字位置において合流するように構成されている場合には、印字ヘッドが一つで済み、より装置構成を簡素化することが可能になる。
【００２５】
この場合、これらの搬送路が、スキャナヘッドの読取位置において合流するように構成すれば、スキャナヘッドが一つで済み、より装置構成を簡素化することができるとともに、用紙をカッタで切断した後に改めてスリップ紙として再処理する必要がなくなるので、処理時間を大幅に短縮することが可能になる。
【００２６】
また、印字ヘッドの用紙搬送方向下流側の所定位置に、用紙を切断するためのカッタを設けるようにすれば、従来の装置構成をそのまま利用することが可能になる。
【００２７】
この場合、カッタが、分離可能なカッタ部材を有し、このカッタ部材の一部が前述のユニットに組み込まれている場合には、ロール紙等をセットする際に、搬送経路上にカッタを配置することが可能になる。
【００２８】
さらに、前述のユニットが、装置本体の蓋部を兼用するように構成すれば、従来の装置構成をそのまま用いて簡素な複合処理装置を得ることが可能になる。
【００２９】
【発明の実施の形態】
以下、本発明に係るスキャナユニット及びこれを用いた複合処理装置の実施の形態を図面を参照して詳細に説明する。
図１は、本実施の形態の複合処理装置の概略構成を示す側面図である。
【００３０】
図１に示すように、本実施の形態の複合処理装置１は、装置本体１ａ内に、搬送経路２として、小切手等のスリップ紙Ｓを搬送して印字及び読取を行うためのスリップ紙経路２０と、ロール紙Ｒから用紙１０を繰り出してレシートとして発行するためのレシート紙経路２１を有している。
【００３１】
ここで、スリップ紙経路２０は、水平方向の挿入口３０を有するガイド部材３を備え、このガイド部材３を介して排出口３１に向って鉛直方向に延び、側方から見てＬ字状に屈曲するように形成されている（図１は通常の設置状態を示すものである。）。
【００３２】
そして、スリップ紙経路２０の鉛直方向に延びる部分には、挿入口３０側から順に、スリップ紙経路２０を挟むように、スリップ送りローラ対４、印字ヘッド５及びプラテン（第１のプラテン部材）６、スキャナヘッド７、スキャナローラ（第２のプラテン部材）８が配設されている。
【００３３】
また、プラテン６とスキャナローラ８との間には、スリップ紙経路２０と平行な面を有するガイドフレーム９が設けられている。
【００３４】
図１に示すように、本実施の形態においては、スリップ紙経路２０に対して挿入口３０側に印字ヘッド５及びスキャナヘッド７が配設されている。そして、プラテン６は、印字ヘッド５に対しスリップ紙経路２０を挟んで対向配置されている。また、スキャナローラ８は、スキャナヘッド７に対しスリップ紙経路２０を挟んで対向配置されている。
【００３５】
一方、スリップ紙経路２０を挟んで印字ヘッド５の反対側で装置本体１ａの底部には、ロール紙Ｒを収容保持するためのロール紙ホルダ（用紙収容部）１１が設けられている。
【００３６】
本実施の形態の場合、レシート紙経路２１は、前記印字ヘッド５の印字位置及びスキャナヘッド７の読取位置においてスリップ紙経路２０と合流するように構成されている。
【００３７】
すなわち、ロール紙Ｒから繰り出される用紙部分１０が、紙送りローラ１２、１３を介して印字ヘッド５とプラテン６との間を通り、後述するカッタ３４によって切断された後に、スキャナヘッド７とスキャナローラ８の間を通って排出口３１から排出されるように構成されている。
【００３８】
本実施の形態においては、上述したプラテン６、スキャナローラ８及び紙送りローラ１２が、開閉フレーム４１を有する一体的なカバーユニット（ユニット）４０に組み込まれている。
【００３９】
この開閉フレーム４１は、例えばロール紙ホルダ１１の後端部においてスリップ紙経路２０及びレシート紙経路２１と平行に設けられたフレーム支軸４２を中心として上下方向に回動開閉自在に構成され、装置本体１ａの蓋部として兼用する機能を有するものである。
【００４０】
カバーユニット４０に組み込まれたプラテン６は、フレーム支軸４２と平行に設けられた紙送りローラ１３の支軸１３ａを中心として回動するように構成されている。そして、プラテン６は、図示しない例えばバネによって、後述するように時計周り方向又は反時計周り方向に付勢されるようになっている。
【００４１】
一方、スキャナローラ８は、ローラレバー３２に回動自在に支持され、このローラレバー３２は、フレーム支軸４２と平行に設けられた支軸３２ａを中心として回動するように構成されている。
【００４２】
そして、ローラレバー８は、図示しない例えばソレノイドによって時計周り方向又は反時計周り方向に付勢され、これによりスキャナローラ８がスキャナヘッド７に押圧されるようになっている。なお、スキャナローラ８は、スキャナ送りモータ（図示せず）によって駆動される歯車列３３の動力によって駆動される。
【００４３】
さらに、本実施の形態においては、レシート紙経路２１上で、紙送りローラ１３とスキャナローラ８の間に、カッタ３４が設けられている。
【００４４】
このカッタ３４は、カッタフレーム３５に取り付けられた固定刃３６と、この固定刃３６と組み合わされる丸刃状の可動刃３７とを有している。ここで、カッタフレーム３５及び固定刃３７は、装置本体１ａ側に取り付けられている。
【００４５】
また、カッタフレーム３５は、スキャナローラ８に向けて形成され、ガイド部材として機能するように構成されている。
【００４６】
図２〜図５は、本実施の形態においてロール紙をセットする工程を示す説明図である。
【００４７】
このような構成を有する本実施の形態においてロール紙Ｒをセットする場合には、まず、図２に示すように、開閉フレーム４１を手指によって上方に引き上げ、矢印方向Ａに回転させて開かせる。
【００４８】
この状態では、プラテン６は、支軸１３ａを中心として時計周り方向に付勢され、レシート紙経路２１から完全に退避した位置にある。
【００４９】
また、スキャナローラ８も、支軸３２ａを中心として時計周り方向に付勢され、レシート紙経路２１から完全に退避した位置にある。
【００５０】
そして、ロール紙Ｒを装置本体１ａ内に投入してロール紙ホルダ１１に保持させ、用紙部分１０の先端をスキャナヘッド７の上方まで繰り出す。
【００５１】
次いで、図３に示すように、開閉フレーム４１を矢印方向Ｂに回転させてこれを閉じる。この状態では、プラテン６が、支軸１３ａを中心として反時計周り方向に付勢され、レシート紙経路２１上に位置する。
【００５２】
そして、ロール紙Ｒの用紙部分１０は、紙送りローラ１３によって挟まれるとともに、用紙部分１０の弾性力（腰）によってカッタフレーム３５とスキャナローラ８に接する。なお、この時点では、スキャナローラとスキャナヘッドとは離間しており、ローラレバー３２は開いた状態にある。
【００５３】
さらに、図４に示すように、ローラレバー３２を支軸３２ａを中心として反時計周り方向に付勢して閉じ、ロール紙Ｒの用紙部分１０を紙送りローラ３２によってスキャナヘッド７に押圧する。
【００５４】
この状態でカッタを動作させてロール紙Ｒの用紙部分１０を切断した後、紙送りローラ８を正方向へ回転させてレシート１０ａとして排出する。
【００５５】
これにより、図５に示すように、ロール紙Ｒのセットが終了する。
【００５６】
図６〜図９は、本実施の形態におけるロール紙へ印字及び読取シーケンスを示す説明図である。
【００５７】
本実施の形態においてロール紙Ｒに印字して読み取る場合には、まず、図６に示すように、紙送りローラ１３を正方向へ回転させて用紙部分１０を正方向に送るとともに印字ヘッド５を駆動して用紙部分１０に所定の印字を行う。なお、ローラレバー３２は予め閉じておく。
【００５８】
次いで、紙送りローラ１０を逆方向へ回転させてロール紙Ｒの用紙部分１０を装置本体１ａ側へ引き込み、その先端部をカッタフレーム３５の近傍まで移動させる。
【００５９】
そして、図７に示すように、ローラレバー３２を開いてスキャナローラ８をスキャナヘッド７から離間させるとともに、紙送りローラ１３を正方向へ回転させて用紙部分１０の先端部をスキャナヘッド７とスキャナローラ８との間に挿入する。
【００６０】
さらに、図８に示すように、スキャナローラ８を正方向へ回転させて用紙部分１０を正方向へ搬送するとともにスキャナ７によって用紙部分１０の所定の領域を読み取る。
【００６１】
その後、図９に示すように、カッタ３５を作動させて用紙部分１０を切断し、スキャナローラ８を正方向へ回転させてレシート１０ａとして排出する。
【００６２】
他方、スリップ紙Ｓを読み取る場合には、図１に示すように、印字ヘッド５によってスリップ紙Ｓに対して所定の印字を行った後、スキャナローラ８を正方向へ回転させてスリップ紙Ｓを正方向へ搬送するとともにスキャナヘッド７によってスリップ紙Ｓの所定の領域を読み取る。
【００６３】
そして、スキャナローラ８を正方向へ回転させてスリップ紙Ｓを排出する。
【００６４】
以上述べたように本実施の形態によれば、ロール紙経路２１に対してロール紙ホルダ１１側に位置するプラテン６及びスキャナローラ８が、ロール紙経路２１から退避するように構成されていることから、ロール紙Ｒをセットする際にその先端部をスキャナヘッド７とスキャナローラ８の間に挿入する必要がなく、従来の投げ込み式のロール紙装填機構を採用して装置を構成することが可能になる。
【００６５】
また、本実施の形態によれば、ロール紙Ｒに印字して得られたレシート１０ａの内容をスキャナヘッド７で読み込む場合に、改めてスリップ紙として再処理する必要がなくなるので、処理時間を大幅に短縮することができる。
【００６６】
さらに、本実施の形態においては、プラテン６及びスキャナローラ８が一体的なカバーユニット４０に組み込まれているので、簡素な構成でプラテン６及びスキャナローラ８を退避させることができる。
【００６７】
さらにまた、本実施の形態においては、搬送経路２が複数系統の搬送路（スリップ紙経路２０、レシート紙経路２１）を有し、これらスリップ紙経路２０及びレシート紙経路２１が、印字ヘッド６の印字位置において合流するように構成されているので、印字ヘッド６が一つで済み、より装置構成を簡素化することができる。
【００６８】
さらにまた、本実施の形態においては、スリップ紙経路２０及びレシート紙経路２１が、スキャナヘッド７の読取位置において合流するように構成されているので、スキャナヘッド７が一つで済み、より装置構成を簡素化することができるとともに、ロール紙Ｒをカッタ３４で切断した後に改めてスリップ紙として再処理する必要がなくなるので、処理時間を大幅に短縮することが可能になる。
【００６９】
また、本実施の形態では、印字ヘッド６の用紙搬送方向下流側の所定位置に、カッタ３５を設けられているので、従来の装置構成をそのまま利用することができる。
【００７０】
特に、本実施の形態の場合、カッタ３４が、分離可能な固定刃３７がカバーユニット４０に組み込まれているので、ロール紙Ｒをセットする際に、レシート紙経路２１上にカッタ３４を配置することが可能になる。
【００７１】
さらに、本実施の形態では、カバーユニット４０が、装置本体１ａの蓋部を兼用するように構成されていることから、従来の装置構成をそのまま用いて簡素な複合処理装置を得ることができる。
【００７２】
なお、本発明は上述の実施の形態に限られることなく、種々の変更を行うことができる。
【００７３】
例えば、上述の実施の形態においては、プラテン及びスキャナローラをカバーユニットに組み込むようにしたが、本発明はこれに限られず、印字ヘッド又はスキャナヘッドをカバーユニットに組み込むことも可能である。ただし、印字ヘッド、スキャナヘッドの配線部の信頼性向上の観点からは、上記実施の形態のように、プラテン及びスキャナローラをカバーユニットに組み込むことが好ましい。
【００７４】
さらに、上述の実施の形態においては、スリップ紙経路及びレシート紙経路を印字ヘッド及びスキャナヘッドの位置で合流させるようにしたが、本発明はこれに限られず、個別の搬送路を設けることも可能である。ただし、装置構成の簡素化及び処理の迅速化の観点からは、スリップ紙経路及びレシート紙経路を印字ヘッド及びスキャナヘッドの位置で合流させることが好ましい。
【００７５】
さらにまた、本発明は小切手等を読み取って印字する複合処理装置のみならず、種々の読み取り、印字を行う装置に適用することができる。
【００７６】
ただし、上記実施の形態のような複合処理装置に適用した場合に最も有効となるものである。
【００７７】
【発明の効果】
以上述べたように本発明によれば、印字ヘッド、スキャナヘッド、第１及び第２のプラテン部材のうち搬送経路に対して用紙収容部（例えばロール紙保持部）側に位置する収容部側手段が、搬送経路から退避するように構成されていることから、ロール紙等をセットする際にその先端部をスキャナヘッドと押圧部材の間に挿入する必要がなく、従来の投げ込み式のロール紙装填機構を採用して装置を構成することができる。
【００７８】
また、本発明によれば、ロール紙に印字して得られたレシートの内容をイメージスキャナで読み込む場合に、改めてスリップ紙として再処理する必要がなくなるので、処理時間を大幅に短縮することができる。
【００７９】
このような構成を有する本発明において収容部側手段が一体的なユニットに組み込まれている場合には、簡素な構成で収容部側手段を退避させることができる。
【００８０】
また、収容部側手段が第１及び第２のプラテン部材である場合には、収容部の開閉に伴う、印字ヘッド、スキャナヘッドの配線の屈曲回数を減らすことができるため、印字ヘッド、スキャナヘッドの配線部の信頼性を向上させることができる。
【００８１】
さらに、搬送経路が複数系統の搬送路を有し、これらの搬送路が、印字ヘッドの印字位置において合流するように構成されている場合には、印字ヘッドが一つで済み、より装置構成を簡素化することができる。
【００８２】
この場合、これらの搬送路が、スキャナヘッドの読取位置において合流するように構成すれば、スキャナヘッドが一つで済み、より装置構成を簡素化することができるとともに、用紙をカッタで切断した後に改めてスリップ紙として再処理する必要がなくなるので、処理時間を大幅に短縮することができる。
【００８３】
また、印字ヘッドの用紙搬送方向下流側の所定位置に、用紙を切断するためのカッタを設けるようにすれば、従来の装置構成をそのまま利用することができる。
【００８４】
この場合、カッタが、分離可能なカッタ部材を有し、このカッタ部材の一部が前述のユニットに組み込まれている場合には、ロール紙等をセットする際に、搬送経路上にカッタを配置することができる。
【００８５】
さらに、前述のユニットが、装置本体の蓋部を兼用するように構成すれば、従来の装置構成をそのまま用いて簡素な複合処理装置を得ることができる。
【図面の簡単な説明】
【図１】本発明に係る複合処理装置の実施の形態の概略構成を示す側面図である。
【図２】同実施の形態においてロール紙をセットする工程を示す説明図である（その１）。
【図３】同実施の形態においてロール紙をセットする工程を示す説明図である（その２）。
【図４】同実施の形態においてロール紙をセットする工程を示す説明図である（その３）。
【図５】同実施の形態においてロール紙をセットする工程を示す説明図である（その４）。
【図６】同実施の形態におけるロール紙へ印字及び読取シーケンスを示す説明図である（その１）。
【図７】同実施の形態におけるロール紙へ印字及び読取シーケンスを示す説明図である（その２）。
【図８】同実施の形態におけるロール紙へ印字及び読取シーケンスを示す説明図である（その３）。
【図９】同実施の形態におけるロール紙へ印字及び読取シーケンスを示す説明図である（その４）。
【符号の説明】
１　　複合処理装置
１ａ　装置本体
２　　搬送経路
５　　印字ヘッド
６　　プラテン（第１のプラテン部材）
７　　スキャナヘッド
８　　スキャナローラ（第２のプラテン部材）
１０　　用紙部分
１１　　ロール紙ホルダ（用紙収容部）
２０　　スリップ紙経路
２１　　ロール紙経路
３４　　カッタ
３６　　固定刃
３７　　可動刃
４０　　カバーユニット（ユニット）
【図１】
2004009715.tif 000003
【図２】
2004009715.tif 000004
【図３】
2004009715.tif 000005
【図４】
2004009715.tif 000006
【図５】
2004009715.tif 000007
【図６】
2004009715.tif 000008
【図７】
2004009715.tif 000009
【図８】
2004009715.tif 000010
【図９】
2004009715.tif 000011